(57)【要約】証券（１）は透明窓を形成した厚みを減じた領域（２）、および前記領域（２）の抵抗力を増すために補強手段（３）を有する基材を含む。
2005537962.tif 000002
【特許請求の範囲】
【請求項１】
透明窓を形成する厚みを減じた領域（２，７，１８）を有する基材から成る紙幣または有価証券等の証券（１，１７）において、前記証券は前記領域の抵抗力を増すための補強手段（３，４，８，１０，１１，１４，１９，２０，２２）を含むことを特徴とする証券。
【請求項２】
前記基材は紙基材で形成されていることを特徴とする、請求項１の証券。
【請求項３】
前記補強手段は前記基材の少なくとも一側の少なくとも厚みを減じた領域を被覆する少なくとも一つの細片部（３，８，１０，１４，１９）を含むことを特徴とする、請求項１または２の証券。
【請求項４】
前記細片部は透明ポリマー材であることを特徴とする、請求項３の証券。
【請求項５】
前記補強手段は少なくとも厚みを減じた領域を被覆するパッチ（４，１１，２０，２２）を含み、前記パッチは前記証券の少なくとも一側に設けられた部分的に金属剥離したＯＶＤパッチにより形成されていることを特徴とする、請求項１または２の証券。
【請求項６】
前記補強手段は更に付加的安全特徴（９，１５，２３）を含むことを特徴とする、請求項１から５のいずれか１の証券。
【請求項７】
前記補強手段（９，１５，２３）は前記証券の両側に設けられていることを特徴とする、請求項１から６のいずれか１の証券。
【請求項８】
前記補強手段は前記基材の一側に細片部（１４）を含み、かつ前記基材の他側にパッチ（１１）を含むことを特徴とする、請求項３から７のいずれか１の証券。
【請求項９】
請求項１から８に記載の複数の証券から成ることを特徴とする、基材シート（１６）。
【請求項１０】
透明窓を形成する厚みを減じた領域（２，７，１８）を有する基材から成る紙幣または有価証券等の証券（１，１７）を製造する方法において、前記方法は補強手段により前記基材の少なくとも一側の少なくとも厚みを減じた領域を被覆する工程を含むことを特徴とする証券製造法。
【請求項１１】
前記基材の両側で前記補強手段により少なくとも厚みを減じた領域を被覆する工程を含むことを特徴とする、請求項１０の証券製造法。
【請求項１２】
前記補強手段は少なくとも１つの細片部またはパッチを含むことを特徴とする、請求項１１の証券製造法。
【請求項１３】
前記補強手段に付加的安全特徴を付与する工程を更に含むことを特徴とする、請求項１０から１２のいずれか１の証券製造法。
【発明の詳細な説明】
【技術分野】
【０００１】
本発明は透明窓を形成する厚みを減じた領域を有する基材を含む、銀行券、有価証券または小切手等の証券に関する。
【０００２】
本発明は、更に、透明領域を有する銀行券および有価証券等の証券を形成するために使用される基材を処理する方法に関する。
【背景技術】
【０００３】
銀行券および有価証券の分野において、偽造に対抗する安全（security)特徴に対するニーズが高まっている。実際に、過去数年間で、コンピュータ、スキャナおよびコピー機は甚だしく開発され、かつ今日では合理的価格で非常に性能のよい装置を購入できる。かかる装置は優れた性能を有するので、これと同期して、標準的コンピュータもしくはスキャナ、またはカラーコピー機による複写を不可能にする銀行券、小切手、各種カード（即ちクレジットカード）、ＩＤカード、パスポート等の証券に関する新規かつ改善された安全特徴を開発する必要がある。
【０００４】
かかる安全特徴は、証券の基材上に特定パターンを印刷するために使用される特別のインキ、所謂光学可変インキ（ＯＶＩ）、金属被覆パッチもしくはホログラムの形態の光学可変装置（ＯＶＤ）、またはモアレパターンおよび他の同様パターン等の特定パターンを含む。これらは、実際の装置によるコピーが不可能である場合には、すべて非常に困難であるが、他方で視覚的に制御することは容易である。
【０００５】
他の安全手段は、例えばＵＶ光の特定条件または透明度（透かし模様）によってのみ視覚認識可能である複数の色彩による重合線および／またはパターンの組み合わせを含む。再度説明すると、かかる安全手段の重要問題は、その手段が保護されるべき書類上に容易に印刷または設置できるが、実際のプリンタ、スキャナ、またはコピー機による再製が不可能であることである。
【０００６】
他の特定技術は、紙基材が透明においてのみ視認できる線またはパターンによりマーク付けされる透かし模様を含む。この方法の改良点は、特に、窓は透明であるが紙ベースの基材は通常透明でない基材内に形成された窓を構成する疑似透かし模様に関する。
【０００７】
しかしながら、紙ベースの基材内に透明窓を形成または模造することは非常に困難である。そのような透明窓は、安全要素を提供するために、銀行券および有価証券のためにポリマーベース基材で広範囲に使用されている。ポリマーベース基材は、通常、完全に透明であり、従って透明窓を形成するために、所定の無印刷領域を残す必要があるのみである。しかし、基材が透明でない紙の場合には、基材内に透明窓を創出するために紙の厚みを局所的に薄くすることができる第一工程が開発されている。例えばＰＣＴ出願ＷＯ９９／１４４３３は、この方法を開示しかつその出願内容はこの出願に参考として組み込まれる。この既知方法によれば、水溶液が一つまたは幾つかの所定領域において紙の少なくとも一面上に塗布され、次に浸水領域上を加圧加熱して水分を蒸発させ、紙の残部に対してその領域内の塗布紙を稠密にする。このようにして、浸水領域の厚みがその紙の残部に対して薄くなりかつ透明になる。
【０００８】
この第一技術は、しかし、窓を構成する領域の紙が局部的に弱い欠点を有する。特に、窓の厚みが薄いと、それだけその領域は弱くなる。かかる技術を利用する銀行券は耐用寿命が短く、かつ交換される必要がある。即ち新規銀行券が古い損傷した銀行券と交換するために印刷されなければならない。
【０００９】
他の方法は、透明窓を創出するために紙に直接的な孔のカットを伴う。本願に参考として組み込まれる、例えばＰＣＴ出願ＷＯ９５／１０４２０は、他の方法を開示する。当然ながら、基材内のカット孔を被覆することが必要であるが、この被覆は透明材料による細片、例えばフォイルまたはラミネート等により孔を被覆することにより行われる。この書類は、特に、窓の透明度と、窓内に設けられる付加的安全特徴として使用される回折構造との間のコントラスを使用する。近代コピー機およびスキャナは実際に回折構造と透明窓をコピーすることはできない。
【００１０】
【特許文献１】スイス特許出願第１６６１／０１号
【特許文献２】ＰＣＴ出願ＷＯ９９／１４４３３
【特許文献３】ＰＣＴ出願ＷＯ９５／１０４２０
【発明の開示】
【発明が解決しようとする課題】
【００１１】
従って、本発明の課題は、従来技術を改良することにある。
更に、具体的には、本発明の課題は、銀行券、小切手、ＩＤ、またはパスポート等の有価証券の、近代印刷機、スキャン装置およびコピー機では再現することが困難な、安全特徴を提供することにある。
【００１２】
本発明の他の課題は、改良された安全特徴を有する、銀行券、有価証券、および他の同等物等の安全証券もしくは安全証書を提供することにある。
【課題を解決するための手段】
【００１３】
本発明は、請求項の特徴により規定される。
【発明の効果】
【００１４】
本発明の利点は、銀行券を製造する分野で使用されている標準的機械により容易に実行できることである。
【００１５】
本発明の他の利点は、銀行券上、厚みの薄い領域、即ち透明領域上に、特に直接安全特徴を付加するためにより良い支持体を提供することである。本願に使用するのに特に有利な安全特徴の一例は、本願に参考として組み込まれる、ＫＢＡ−ＧＩＯＲＩ  Ｓ．Ａ．により２００１年９月７日に出願されたスイス特許出願第１６６１／０１号に開示されている。この出願に記載の印刷物の安全特徴は、印刷物の一側に印刷された第一図面を含み、この図面は第一セットの幾何学形状、および第一セットの幾何学形状に対応する第二セットの幾何学形状と一致する印刷物の反対側に印刷された第二図面で形成されるが、二つのセットはオフセット（offset）セクタを構成して、表裏面または左右頁のレジスタ（register)即ち位置あわせが修正されるときに、安全特徴が透明度（transparency）においてのみ認識できる可変密度領域を形成する。
【００１６】
換言すれば、表裏面の位置合わせが修正されるときに特定形状を形成する可変密度の領域を観察でき、特定形状はオフセットセクタにより決定される。この形状は、通常、文字であり、アルフベット文字の組み合わせ（例えば『ＯＫ』等）または他の幾何学形状である。
【００１７】
第一に重要な点は、オフセットセクタは裸眼で視認不可能であることである。従って、コピー機またはスキャナはそれらを再現できず、かつカラーコピー機またはスキャナで形成された証券は安全特徴を有しないであろう。
【００１８】
第二に重要な点は、安全特徴が印刷の表裏位置合わせの視覚的制御または簡単な光学装置による制御を容易にする。位置合わせが完全または一定の許容範囲内であれば、特定形状の存在は制御され得る。位置合わせが一定の許容範囲外または非常に悪い場合には、特定形状は印刷物の無効に繋がる。
【００１９】
この方法において、主に、一セットの非常に細い線（１０μｍから５００μｍの幅を有する）が５μｍから１０００μｍの間隔をおいて使用される。従って、オフセットセクタはこのオーダーの寸法を有する。従って、線が印刷される基材は精確に印刷するために平滑面を有することが非常に重要である。これは、当然ながら、基材が紙で形成されるケースを意味するのではなく、安全要素を印刷する領域が厚みの薄い領域であり、その領域の脆弱ゆえに印刷を更に悪化させることを意味する。
【００２０】
この理由から、本発明は技術的困難性を克服する安全特徴の組み合わせを可能にしかつ更に技術的効果を相互に支持する新規特徴を伴う新規技術を提供する。本発明は、また、脆弱さゆえに厚みの薄い領域上への印刷は不可能であるとする技術的先入観を克服する。
【発明を実施するための最良の形態】
【００２１】
本発明のより良い理解のために、添付図面を参照し幾つかの実施形態を説明する。
本発明の第一実施形態について、図１を参照して説明する。この図において、証券１、例えば銀行券が示されている。銀行券１は所定厚を有しかつ厚みを減じた領域即、即ち厚みの薄い領域、換言すれば肉薄領域２を含む。領域２は円形領域として示されているが、他の形状（四辺形、三角形等）が可能である。厚みの薄い領域２上には、透明細片部３が領域２を補強するために設けられている。細片部は、ポリエステル（ＰＥＴ）またはポリカーボネート（ＰＣ）フィルム等適宜材料により形成されるが、これに限定されない。当業界に既知の他の材料が使用可能である。細片部は当分野で既知の従来技術、接着その他の適宜方法により証券に取り付けられる。
【００２２】
この実施形態の変形として、第二透明細片部１０が証券の他の側に設けられる。第二細片部１０は細片部３の両側に破線で図１に概略的に示されている。当然ながら、第二細片部は細片部３と同一寸法であってよく、破線は視認可能なように細片部３の各側に設けられる。第二細片部１０は、また、細片部３よりも小さくても大きくてもよい。
【００２３】
第二実施形態は図２に示されている。この図２において、証券１は厚みの薄い領域２を有する。領域２上には、ＯＶＤ等のパッチ４が当分野に既知の方法を使用して設置されている。このパッチ４は金属被覆層を含むが、この層の一部５は金属剥離され（demetallized)、この一部５は厚みを減じた領域２の面に略対応する。パッチの残余面６は同様に金属被覆されている。ＯＶＤを担持する細片は透明であり、金属剥離部５は同様に透明であるが、残余面６は光を反射する。この実施形態において、スキャナまたはコピー機による再製を不可能にする他の安全機能は透明金属剥離部５と反射部６との間のコントラストにより提供される。
【００２４】
第三実施形態は図３に示されている。図３において、証券１は厚みを減じた領域７を含み、この厚みの薄い肉薄領域上に透明材料による細片部８が設けられる。
この点は図１の形態と同様である。証券１の肉薄領域７に対応する領域内で細片部８上に安全要素９が更に印刷される。この安全要素は本明細書で上述したスイス特許出願第１６６１／０１号に開示のものに対応する。この安全要素９は証券１の他の側に印刷された第二セットの線を含むが、説明を簡単にするためにここには表されていない。スイス特許出願第１６６１／０１号の全明細書が安全要素の原理の説明に関して本願に組み込まれる。
【００２５】
上述のごとく、本発明による補強基材は、細片部３，８，１０および金属剥離パッチ４が安全要素９を印刷する平滑面を有するので、スイス特許出願第１６６１／０１号に記載されたごとく、安全要素９に適宜組み合わせて使用できる。
【００２６】
本発明の他の実施形態が図４に示されている。この形態は、図１から３の形態の幾つかの要素を組み合わせており、肉薄領域２を含む証券１を示している。この肉薄領域２上には、パッチ１１が取り付けられ、パッチ１１は金属剥離部１２および金属被覆部１３を含む。この形態は図２に示したものと同様である。更に、透明材料による細片部１４は、証券１の他の面上にパッチ１１に対して適用され（この細片部は破線で示されている）、かつ安全要素１５は、証券１の肉薄領域２に対応するパッチ１１の金属剥離領域１２においてパッチ１１上に設けられる。安全特徴は、透明領域を使用するタイプのものであり、そこには例えばスイス特許出願第１６６１／０１号に記載の原理が採用され、図３の形態に使用される。
【００２７】
この形態は、近代コピー機およびスキャナによる再現が不可能でないとしても全く困難である困難な技術を数々組み合わせている。この形態は、厚みの薄い領域、部分的光学装置、他の安全要素を有する透明窓を含む基材を使用し、安全要素の面は非常に平滑であり（パッチ１１を支持する細片部および細片部１４）、そのようにして安全要素の質を改善している。
【００２８】
当然ながら、基材の透明度を利用して基材上に印刷される他の安全特徴または要素が採用されてよく、かつ上述の実施形態は本発明の特徴を例示として図示するのみである。
【００２９】
図５は、例えば紙によるシートを示し、このシートは本発明による幾つかの証券１を含む。シート１６は説明を簡単にするために一部のみを示すが、銀行券用として既知形態と同様に配置された連続行列の複数の証券を含む。各証券１７は、第一の二列において厚みを減じた領域１８を含み、この領域は、例えばＰＣＴ出願ＷＯ９９／１４４３３（上述し本願に採用される）に開示の方法により製造される。更に、透明材料による細片部１９が各証券１７上でシート１６の一側に設けられるか（図１の形態）、または両側に設けられる（図１の形態の変形）。
【００３０】
第四列に、証券１７は部分的に金属剥離したパッチ２０を受け、これは図２の第二形態に対応する。
【００３１】
第五列において、図４の形態である証券１７には、シート１６の一側に部分的に金属剥離したパッチ２１が、そしてそのシートの他側に透明材料による細片部２２が設けられている。
【００３２】
第六列において、証券１７は上述した形態と同様の付加的安全要素２３を受けており、かかる安全要素は、本発明の異なる形態において説明したように、シートのいずれの証券に設けられてもよい。
【００３３】
当然ながら、幾つかの異なる形態を示す添付図面は単に例示であり、かつ通常は本発明による異なる形態を同一シート上で組み合わせることはない。むしろ、証券の複雑性および選択された安全特徴に依存して特定形態が選択され、かつ全シートは適正処理を受け、一側もしくは両側に細片部、一側もしくは両側にパッチを含み、またそれらの組み合わせは上述したように付加的安全要素と共にもしくは付加的安全要素を含むことなく構成される。
【００３４】
本明細書において、主に銀行券を説明したが、本発明の原理は同様の他の書類（複数ページのパスポート、複数の小切手）に適用でき、それらのすべてが透明領域を内部に設けた非透明基材を含む。
【図面の簡単な説明】
【００３５】
【図１】本発明の第一実施形態を示す。
【図２】本発明の第二実施形態を示す。
【図３】本発明の第三実施形態を示す。
【図４】本発明の第四実施形態を示す。
【図５】本発明による複数の証券を含むシートを概略的に示す。
【図１】
2005537962.tif 000003
【図２】
2005537962.tif 000004
【図３】
2005537962.tif 000005
【図４】
2005537962.tif 000006
【図５】
2005537962.tif 000007
【国際調査報告】
2005537962.tif 000008
2005537962.tif 000009